(57)【要約】【課題】下方から換気孔が見えず、十分な換気量を確実に確保でき、軒裏空間側への雨水の浸入を確実に防止できる軒裏換気構造を提供する。【解決手段】軒先見切り材２は、鼻板１に取付けられる固定用縦片部３７と、固定用縦片部３７の下端部から屋内側に向けて突出する換気用横片部３と、換気用横片部３の屋内側の端部から垂下する垂下片部４と、垂下片部４の下端部から屋内側に向けて突出する軒天井側見切り片部７と、垂下片部４の下端部から屋外側に向けて突出する目隠し片部９を備える。軒樋１３の屋内側の縦壁部１４と鼻板１の外面との間に換気用隙間１６を形成する。換気用隙間１６を、換気用横片部３との間の下側通気用空所３６、換気用横片部３に設けた換気孔５、鼻板１と換気用横片部３との間の上側通気用空所３４、を介して軒裏空間３３に連通させる。【選択図】図１
2007092427.tif 000002
【特許請求の範囲】
【請求項１】
鼻板に軒先見切り材を取付け、該軒先見切り材は、鼻板の下端部の外面に沿って取付けられる固定用縦片部と、鼻板よりも下方に突出した固定用縦片部の下端部から屋内側に向けて突出する換気孔を設けた換気用横片部と、換気用横片部の屋内側の端部から垂下する垂下片部と、垂下片部の下端部から屋内側に向けて突出して軒天井の屋外側の端部の下面に沿う軒天井側見切り片部と、垂下片部の下端部から屋外側に向けて突出して前記換気用横片部との間に下側通気用空所を形成する目隠し片部とを備え、鼻板の下端面と換気用横片部の上面との間に前記換気用横片部に設けた換気孔と軒裏空間を連通させる上側通気用空所を形成し、鼻板の外面に軒樋取付け具を介して鼻板の外面よりも屋外側に位置する軒樋を取付け、該軒樋の屋内側の縦壁部と鼻板の外面との間に換気用隙間を形成すると共に軒樋の下部を前記下側通気用空所の屋外側に位置させ、換気用隙間を下側通気用空所、換気孔、上側通気用空所を順に介して軒裏空間に連通させて成ることを特徴とする軒裏換気構造。
【発明の詳細な説明】
【技術分野】
【０００１】
本発明は軒裏空間を換気する技術に関する。
【背景技術】
【０００２】
従来から軒天井上方の軒裏空間を換気するために軒先の軒先見切り材に換気孔を設け、該換気孔を介して屋外空間と軒裏空間とを連通させて軒裏空間の換気を行うようにしたものが例えば特許文献１により知られている。
【０００３】
この特許文献１の従来例にあっては、図３に示すように、軒先見切り材５０を鼻板側見切り材５１と軒天井側見切り材５２との二部材で構成し、軒天井側見切り材５２の幅方向の中央部に下方に開口する凹み５３を形成し、該凹み５３の対向面部を形成する縦片５４に換気孔５５を形成し、該換気孔５５を介して屋外空間と軒裏空間３３とを連通させて軒裏空間３３の換気を行うようにしているので、縦片５４に設けた換気孔５５が下方から見えて外観が悪い。
【０００４】
そこで、縦片５４に設けた換気孔５５が下方から見え難くするために凹み５３の下端開口縁に目隠し用の横片を突出させて開口巾を狭くすることも考えられるが、特許文献１のように軒先見切り材５０を鼻板側見切り材５１と軒天井側見切り材５２との二部材で構成したものでは、軒天井側見切り材５２を凹み５３の上底部で固着具５６により野縁２０に固着しているため凹み５３の開口巾を狭くするには限度があり、また、凹み５３の開口巾を狭くすると十分な換気量が取れないという問題がある。
【０００５】
また、軒天井の端部下面と軒天井側見切り材５２の軒天井の端部下面を覆う片との間に隙間を形成してここから換気することも考えられるが、軒天井の厚みのばらつきや施工誤差等で必要な換気量を確保できない場合がある。
【特許文献１】特開２００１−９８６９３号公報
【発明の開示】
【発明が解決しようとする課題】
【０００６】
本発明は上記の従来の問題点に鑑みて発明したものであって、下方から換気孔を見えなくして外観が良く、また、十分な換気量を確実に確保でき、しかも、軒裏空間側への雨水の浸入を確実に防止できる軒裏換気構造を提供することを課題とするものである。
【課題を解決するための手段】
【０００７】
上記課題を解決するために本発明に係る軒裏換気構造は、鼻板１に軒先見切り材２を取付け、該軒先見切り材２は、鼻板１の下端部の外面に沿って取付けられる固定用縦片部３７と、鼻板１よりも下方に突出した固定用縦片部３７の下端部から屋内側に向けて突出する換気孔５を設けた換気用横片部３と、換気用横片部３の屋内側の端部から垂下する垂下片部４と、垂下片部４の下端部から屋内側に向けて突出して軒天井６の屋外側の端部の下面に沿う軒天井側見切り片部７と、垂下片部４の下端部から屋外側に向けて突出して前記換気用横片部３との間に下側通気用空所３６を形成する目隠し片部９とを備え、鼻板１の下端面と換気用横片部３の上面との間に前記換気用横片部３に設けた換気孔５と軒裏空間３３を連通させる上側通気用空所３４を形成し、鼻板１の外面に軒樋取付け具１０を介して鼻板１の外面よりも屋外側に位置する軒樋１３を取付け、該軒樋１３の屋内側の縦壁部１４と鼻板１の外面との間に換気用隙間１６を形成すると共に軒樋１３の下部を前記下側通気用空所３６の屋外側に位置させ、換気用隙間１６を下側通気用空所３６、換気孔５、上側通気用空所３４を順に介して軒裏空間３３に連通させて成ることを特徴とするものである。
【０００８】
このような構成とすることで、目隠し片部９により軒先見切り材２の換気用横片部３に設けた換気孔５が下方から見えないようにして軒先の外観を向上できる。しかも目隠し片部９で換気孔５を下方から見えないようにしたにもかかわらず、軒樋１３と鼻板１との間に形成された換気用隙間１６から外気を導入し、この外気を下側通気用空所３６、換気孔５、上側通気用空所３４を順に介して軒裏空間３３に流入させることができ、確実に軒裏空間３３の換気を行うことができ、この場合、軒天井側見切り片部７と軒天井６の屋外側端部の下面との間の隙間の有無や、目隠し片部９と軒樋１３の縦壁部１４の下部との間の隙間寸法等に関係なく、確実に軒裏空間３３の換気ができる。また換気孔５は軒先見切り材２の換気用横片部３に設けているので、外気が下側通気用空所３６から換気孔５を経て上側通気用空所３４に上昇する間に外気に含まれる雨水を下側通気用空所３６側に落下させることができ、軒裏空間３３側に雨水が侵入することを防止できる。また仮に上側通気用空所３４に雨水が侵入したとしても、この上側通気用空所３４にある雨水は換気孔５を介して下側通気用空所３６に抜けることとなり、またこの換気孔５は鼻板１の外面と軒先見切り材２の間から侵入した雨水も抜くことができる。更には換気用隙間１６から軒裏空間３３に至る外気の流れは蛇行した通路となるので、雨水は軒裏空間３３に一層侵入し難くなる。
【発明の効果】
【０００９】
本発明では、下方から換気孔が見えず外観が良く、また、十分な換気量を確実に確保でき、その上、軒裏空間側への雨水の浸入を確実に防止できる。
【発明を実施するための最良の形態】
【００１０】
以下、本発明を添付図面に示す実施形態に基いて説明する。
【００１１】
図１及び図２に示すように軒先の鼻板１と外壁８の間には軒天井板からなる軒天井６を配設してあり、軒天井６は図１の矢印イ、ロに示す屋内外方向に伸びる複数の野縁２０の下面に固着している。これら複数の野縁２０の屋内側（矢印イに示す方向）の端部は外壁８に壁側見切り材２１を介して固着してあり、また軒天井６よりも屋外側（矢印ロに示す方向）に突出する屋外側の端部は桟材３２を介して鼻板１に固着している。野縁２０の屋内側の端部はビスや釘のような固着具１９で外壁８に固着した壁側見切り材２１の上面に載置してあり、この状態で別の固着具１９で壁側見切り材２１に固定されている。軒天井６の屋内側端部の下面は壁側見切り材２１の下端部から屋外側に突出した壁側見切り片部２３により下方から覆われて外部に露出しないようになっている。また各野縁２０の屋外側の端部は鼻板１の屋内側の面に固着した桟木３２の下面に図示しないビスや釘のような固着具で固着している。ここで桟木３２は鼻板１の下端面よりも上方に位置し、また各野縁２０の下部は鼻板１の下端面よりも下方に突出している。
【００１２】
鼻板１には鼻板１と軒天井６で形成されるコーナー部の仕舞いをする軒先見切り材２を取付けている。軒先見切り材２はアルミニウムのような金属製の長尺物であり、鼻板１の下端部の外面に沿って取付けられる固定用縦片部３７と、鼻板１よりも下方に突出した固定用縦片部３７の下端部から屋内側に向けて横方向に突出する換気用横片部３と、換気用横片部３の屋内側の端部から垂下する垂下片部４と、垂下片部４の下端部から屋内側の横方向に向けて突出する軒天井側見切り片部７と、垂下片部４の下端部から屋外側に向けて横方向に突出する目隠し片部９とで構成している。
【００１３】
固定用縦片部３７は上下方向の中間部から屋内側に向けて突出する係止部３５を鼻板１の下端面に係止してこれよりも上部を鼻板１の外面に沿わせた状態で固着具１９により鼻板１に固着している。換気用横片部３は鼻板１の下方に離れて位置し、また屋内側の端面が各野縁２０の下端部に近接しており、これにより換気用横片部３の上面と鼻板１の下端面との間に上側通気用空所３４を形成している。上側通気用空所３４の屋内側の端は軒裏空間３３の屋外側の端の開口（野縁２０の端部間に形成されている開口）に連続し、これにより上側通気用空所３４は軒裏空間３３に連通している。
【００１４】
軒天井側見切り片部７の屋内側の端部は軒天井６の屋外側の端部の下面に沿い、該軒天井側見切り片部７により軒天井６の屋外側の端部を下方から覆っている。また目隠し片部９は換気用横片部３の下方に位置し、この目隠し片部９の上面と換気用横片部３の下面との間には屋外側に開口する下側通気用空所３６を形成している。ここで目隠し片部９の屋外側の端部９ａは固定用縦片部３７よりも更に屋外側に向けて突出している。
【００１５】
上記軒先見切り材２の下側通気用空所３６と上側通気用空所３４の間にある換気用横片部３には上下に貫通する換気孔５を軒先見切り材２の長手方向に多数設けてあり、上側通気用空所３４と下側通気用空所３６はこれら換気孔５を介して連通している。またこれら換気孔５は前述の目隠し片部９により下方から見えないようになっている。
【００１６】
鼻板１の外面の軒先見切り材２の固定用縦片部３７よりも上方位置には軒樋取付け具１０を固着具１９により取付けている。軒樋取付け具１０は図１、図２に示すように、鼻板固定用縦板部２４の屋外側の面から軒樋取付け部２５を突設して構成してあり、軒樋取付け部２５の突出基部付近に鼻板１から隙間を介して離れた位置に屋内側に向けて開口する略コ字状をした耳嵌め込み部１１を形成し、更に軒樋取付け部２５の突出先端の上端部には耳支持部２６を形成している。
【００１７】
図２に示すように軒樋取付け具１０には軒樋１３を取付けている。軒樋１３は上方が開口した断面略Ｕ状をしていて、軒樋１３の屋内側の縦壁部１４の上端部に屋外側に向けて突出した屋内側耳部１５を形成してあり、また、軒樋１３の屋外側の縦壁部２７の上端部に屋内側に向けて突出する屋外側耳部２８が形成してあり、この屋外側耳部２８には下方に開口した嵌め込み溝部２９を形成している。この軒樋１３は屋外側耳部２８の嵌め込み溝部２９を軒樋取付け具１０の耳支持部２６に嵌め込むと共に、屋内側耳部１５を軒樋取付け具１０の耳嵌め込み部１１に嵌め込むことで取付けられる。
【００１８】
耳嵌め込み部１１の屋内側の端部と鼻板１との間には耳部差し込み用隙間１２を形成してあり、屋内側耳部１５を耳嵌め込み部１１に嵌め込むには、屋内側耳部１５及び縦壁部１４を屋外側に弾性的に押し広げるようにして上記耳部差し込み用隙間１２に下方から屋内側耳部１５を差し込んで屋内側耳部１５及び縦壁部１４の弾性復元力により耳嵌め込み部１１に弾性的に嵌め込むものである。このように耳部差し込み用隙間１２から屋内側耳部１５を差しこんで耳嵌め込み部１１に屋内側耳部１５を嵌め込んだ軒樋１３の取付け状態においては、耳部差し込み用隙間１２を通過する時に鼻板１側に弾性的に押し広げられた縦壁部１４が嵌め込み状態となって鼻板１から離れた方向に弾性的に復元して移動するので、図１に示すように軒樋１３の屋内側の縦壁部１４が鼻板１よりも屋外側に離れて位置して、軒樋１３の縦壁部１４と鼻板１との間に換気用隙間１６が形成される。
【００１９】
換気用隙間１６の下部は軒先見切り材２の目隠し片部９と換気用横片部３の間に形成された下側通気用空所３６と連通している。従って軒樋１３の縦壁部１４と鼻板１との間の換気用隙間１６は、下側通気用空所３６、換気孔５、上側通気用空所３４を順に介して軒裏空間３３に連通し、これら換気用隙間１６、下側通気用空所３６、換気孔５、上側通気用空所３４は、屋外空間と軒裏空間３３を連通接続する換気用の通路を構成する。
【００２０】
目隠し片部９の屋外側の端部９ａは軒樋１３の屋内側の下端部コーナ部分に近づけて配置してあり、上記換気用隙間１６を下方から見え難くして外観を良くしている。
【００２１】
ここで軒天井側見切り片部７と軒天井６の屋外側端部の下面との間にはできるだけ隙間が生じないようにするのが外観上好ましいものであり、このため、この部分には隙間が無いか、又は隙間が生じるとしてもそれは部材の寸法誤差や施工誤差を吸収するための最低の隙間を形成するだけであり、また、上記換気用隙間１６を下方から見え難くするという理由から、目隠し片部９と軒樋１３の縦壁部１４の下部との間もできるだけ小さくするのが好ましい。このように軒天井側見切り片部７と軒天井６の屋外側端部の下面との間や、目隠し片部９と軒樋１３の縦壁部１４の下部との間からは換気ができなかったり、あるいは十分な換気量を確保できない場合があるが、本発明においては、上記のように軒樋１３を軒樋取付け具１０に取付けた状態で形成される軒樋１３と鼻板１との間に形成される換気用隙間１６の上開口から図１の矢印のように外気を導入して、この外気を下側通気用空所３６、換気孔５、上側通気用空所３４を順に介して軒裏空間３３に流入させることができ、確実に軒裏空間３３の換気を行うことができる。
【００２２】
また本発明にあっては軒先見切り材２に換気孔５を形成するにあたって、特に換気孔５を換気用横片部３に設けているので、換気用隙間１６から導入された外気の流れは図１の矢印で示すように換気用隙間１６の下部で屋内側に向きを変えて下側通気用空所３６に流れ、この後上方に向きを変えて換気孔５を介して上側通気用空所３４に流れ、さらにこの後、屋内側に向きを変えて軒裏空間３３に流れ込むこととなる。従って外気が下側通気用空所３６から換気孔５を経て上側通気用空所３４に上昇する間に外気に含まれる雨水を下側通気用空所３６に落下させることができ、これにより図４に示す参考例のように換気孔５を垂下片部４に設けた場合と比較して、軒先見切り材２よりも軒裏空間３３側に雨水が侵入することを防止できる。また仮に上側通気用空所３４に雨水が侵入したとしても、この上側通気用空所３４にある雨水は換気孔５を介して下側通気用空所３６に抜くことができる。またこの換気孔５は鼻板１の外面と軒先見切り材２の間から侵入した雨水を抜く水抜き用の孔を兼用しており、この点でも軒裏空間３３側に雨水が侵入することを防止できる。更には図１の矢印で示すように本発明における換気用隙間１６から導入された外気の流れは図４の矢印に示す外気の流れと比較してより蛇行した空気の流れとなっているため、換気用隙間１６から導入された外気に含まれる雨水は軒裏空間３３に一層侵入し難くなっている。
【図面の簡単な説明】
【００２３】
【図１】本発明の実施の形態の一例を示す要部拡大断面図である。
【図２】同上の軒先全体を示す断面図である。
【図３】従来の軒裏換気構造を示す要部拡大断面図である。
【図４】軒先見切り材の換気孔を垂下片部に設けた参考例を示す要部拡大断面図である。
【符号の説明】
【００２４】
１  鼻板
２  軒先見切り材
３  換気用横片部
４  垂下片部
６  軒天井
７  軒天井側見切り片部
９  目隠し片部
１０  軒樋取付け具
１３  軒樋
１６  換気用隙間
３３  軒裏空間
３４  上側通気用空所
３６  下側通気用空所
３７  固定用縦片部
【図１】
2007092427.tif 000003
【図２】
2007092427.tif 000004
【図３】
2007092427.tif 000005
【図４】
2007092427.tif 000006